(57)【要約】【課題】玄関扉に設けられる電気錠装置の操作を契機に、認証端末から玄関扉を安全に施解錠できる制御装置を提供すること。【解決手段】玄関扉に設けられ、電気錠および屋外側に操作部を備えた電気錠装置と、玄関前を撮影するカメラと、電気錠装置およびカメラを制御する制御装置と、を有する施錠システムの制御装置であって、電気錠装置から、操作部において所定の操作がなされたことを示す情報を受信する情報受信部と、情報の受信に応じて、カメラに対し撮影の開始を指示する撮影指示部と、カメラが撮影する画像を受信する画像受信部と、画像を認証端末に送信する画像送信部と、画像を受信した認証端末から施解錠指示を受信する指示受信部と、施解錠指示の受信に応じて、電気錠に対し施解錠を指示する施解錠指示部と、を有する。【選択図】図１
2020051058.tif 000002
【特許請求の範囲】
【請求項１】
玄関扉又は該扉の近傍に設けられ、電気錠および操作部を備えた電気錠装置と、
玄関前を撮影するカメラと、
前記カメラを制御する制御装置と、
を有する施解錠システムの前記制御装置であって、
前記電気錠装置から、前記操作部において所定の操作がなされたことを示す情報を受信する情報受信部と、
前記情報の受信に応じて、前記カメラが撮影する画像を認証端末に送信する画像送信部と、
前記画像を受信した前記認証端末から施解錠指示を受信する指示受信部と、
前記施解錠指示の受信に応じて、前記電気錠に対し前記玄関扉の施解錠を指示する施解錠指示部と、
を有する制御装置。
【請求項２】
前記情報の受信に応じて、前記操作部が操作されたことを前記認証端末に通知する操作通知部、をさらに有する、
請求項１に記載の制御装置。
【請求項３】
前記画像送信部が前記認証端末に送信する前記画像は、サーバに記憶され、
前記サーバに記憶された前記画像は、前記認証端末からの取出し指示によって、前記認証端末に送信される、
請求項２に記載の制御装置。
【請求項４】
前記認証端末からの取出し指示は、前記操作部が操作されたことの前記認証端末への通知を契機に行われる、
請求項３に記載の制御装置。
【請求項５】
前記認証端末から、前記カメラの撮影の開始指示を受信する端末指示受信部と、
前記開始指示の受信に応じて、前記カメラに対し撮影の開始を指示する端末撮影指示部と、をさらに有する、
請求項１から４のいずれか一項に記載の制御装置。
【請求項６】
玄関扉又は該扉の近傍に設けられ、電気錠および屋外側に操作部を備えた電気錠装置と、
玄関前を撮影するカメラと、
前記電気錠装置から、前記操作部において所定の操作がなされると、前記カメラが撮影する画像を送信する制御装置と、
を有する施解錠システムと通信を行う認証端末であって、
前記制御装置から前記画像を受信する画像受信部と、
前記画像を表示装置に表示する表示部と、
前記玄関扉の施解錠指示を受け付ける受付部と、
前記施解錠指示を前記電気錠に送信する送信部と、
を有する認証端末。
【請求項７】
玄関扉又は該扉の近傍に設けられる電気錠装置と、
玄関前を撮影するカメラと、
前記電気錠装置から送信される情報の受信に応じて、前記カメラが撮影する画像を認証端末に送信する制御装置と、
を有する施解錠システムの前記電気錠装置であって、
操作部と、
前記操作部において所定の操作がなされると、前記制御装置に前記所定の操作がなされたことを示す前記情報を送信する送信部と、
前記画像を受信した前記認証端末から施解錠指示を受信する受信部と、
前記施解錠指示の受信に応じて、前記電気錠に対し前記玄関扉の施解錠を指示する制御部と、
前記玄関扉を施解錠する電気錠と、
を有する電気錠装置。
【請求項８】
玄関扉又は該扉の近傍に設けられ、前記玄関扉を施解錠する電気錠と、
操作部と、
玄関前を撮影するカメラの画像を認証端末に送信する制御部と、
を有する電気錠装置であって、
前記操作部において所定の操作がなされると、前記カメラで撮影した画像を前記認証端末に送信し、
前記画像を受信した前記認証端末から施解錠指示を受信し、
前記施解錠指示の受信に応じて、前記電気錠に対し前記玄関扉の施解錠を指示する制御部と、
前記玄関扉を施解錠する電気錠と、
を有する電気錠装置。
【請求項９】
玄関扉又は該扉の近傍に設けられ、前記操作部による所定の操作により、または前記制御部からの指示により応答要求信号を送信し、該応答要求信号に応答した携帯器からの応答信号を受信する読取器と、をさらに有し、
前記制御部は、受信した前記応答信号の識別情報が正当だと認証した場合に、前記電気錠に対して前記玄関扉の施解錠を指示する、
請求項７または８に記載の電気錠装置。
【請求項１０】
玄関扉又は該扉の近傍に設けられ、住人の生体情報を入力する入力部と、をさらに有し、
前記制御部は、入力された生体情報が正当だと認証した場合に、前記電気錠に対して前記玄関扉の施解錠を指示する、
請求項７または８に記載の電気錠装置。
【発明の詳細な説明】
【技術分野】
【０００１】
本開示は、制御装置、認証端末、および電気錠装置に関する。
【背景技術】
【０００２】
従来、高い安全性を確保した状態で、通信端末からの玄関扉の解錠操作を行う事ができるドアホンシステムが提供されている（例えば、特許文献１参照）。
【先行技術文献】
【特許文献】
【０００３】
【特許文献１】特開２０１７−６９６３１号公報
【発明の概要】
【発明が解決しようとする課題】
【０００４】
しかしながら、ドアホンシステムの玄関子機の操作を契機としてではなく、玄関扉に設けられる電気錠装置の操作を契機として、認証端末から玄関扉を安全に施解錠できることが望まれている。
【０００５】
本開示の非限定的な実施例は、玄関扉に設けられる電気錠装置の操作を契機に、認証端末から玄関扉を安全に施解錠できる技術の提供に資する。
【課題を解決するための手段】
【０００６】
本開示の一態様に係る制御装置は、玄関扉又は該扉の近傍に設けられ、電気錠および操作部を備えた電気錠装置と、玄関前を撮影するカメラと、前記カメラを制御する制御装置と、を有する施解錠システムの前記制御装置であって、前記電気錠装置から、前記操作部において所定の操作がなされたことを示す情報を受信する情報受信部と、前記情報の受信に応じて、前記カメラが撮影する画像を認証端末に送信する画像送信部と、前記画像を受信した前記認証端末から施解錠指示を受信する指示受信部と、前記施解錠指示の受信に応じて、前記電気錠に対し前記玄関扉の施解錠を指示する施解錠指示部と、を有する。
【０００７】
本開示の一態様に係る認証端末は、玄関扉又は該扉の近傍に設けられ、電気錠および屋外側に操作部を備えた電気錠装置と、玄関前を撮影するカメラと、前記電気錠装置から、前記操作部において所定の操作がなされると、前記カメラが撮影する画像を送信する制御装置と、を有する施解錠システムと通信を行う認証端末であって、前記制御装置から前記画像を受信する画像受信部と、前記画像を表示装置に表示する表示部と、前記玄関扉の施解錠指示を受け付ける受付部と、前記施解錠指示を前記電気錠に送信する送信部と、を有する。
【０００８】
本開示の一態様に係る電気錠装置は、玄関扉又は該扉の近傍に設けられる電気錠装置と、玄関前を撮影するカメラと、前記電気錠装置から送信される情報の受信に応じて、前記カメラが撮影する画像を認証端末に送信する制御装置と、を有する施解錠システムの前記電気錠装置であって、操作部と、前記操作部において所定の操作がなされると、前記制御装置に前記所定の操作がなされたことを示す前記情報を送信する送信部と、前記画像を受信した前記認証端末から施解錠指示を受信する受信部と、前記施解錠指示の受信に応じて、前記電気錠に対し前記玄関扉の施解錠を指示する制御部と、前記玄関扉を施解錠する電気錠と、を有する。
【０００９】
本開示の一態様に係る電気錠装置は、玄関扉又は該扉の近傍に設けられ、前記玄関扉を施解錠する電気錠と、操作部と、玄関前を撮影するカメラの画像を認証端末に送信する制御部と、を有する電気錠装置であって、前記操作部において所定の操作がなされると、前記カメラで撮影した画像を前記認証端末に送信し、前記画像を受信した前記認証端末から施解錠指示を受信し、前記施解錠指示の受信に応じて、前記電気錠に対し前記玄関扉の施解錠を指示する制御部と、前記玄関扉を施解錠する電気錠と、を有する。
【００１０】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１１】
本開示の一態様によれば、玄関扉やその近傍に設けられる電気錠装置の操作を契機に、認証端末から玄関扉を安全に施解錠できる。
【００１２】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１３】
【図１】本開示の実施の形態に係る施解錠システムの構成例を示した図
【図２】電気錠装置のブロック構成例を示した図
【図３】制御装置のブロック構成例を示した図
【図４】サーバのブロック構成例を示した図
【図５】認証端末のブロック構成例を示した図
【図６】電気錠装置の制御部のブロック構成例を示した図
【図７】制御装置の制御部のブロック構成例を示した図
【図８】サーバの制御部のブロック構成例を示した図
【図９】認証端末の制御部のブロック構成例を示した図
【図１０】施解錠システムの動作例を示すシーケンス図
【図１１】認証端末の画面例を示した図
【図１２】録画のボタンがタップされた場合の施解錠システムの動作例を示すシーケンス図
【図１３】電気錠装置の制御部の異なる実施例を示したブロック図
【発明を実施するための形態】
【００１４】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、添付図面および以下の説明は、当業者が本開示を十分に理解するために、提供されるのであって、これらにより特許請求の範囲に記載の主題を限定することは意図されていない。
【００１６】
図１は、本開示の実施の形態に係る施解錠システムの構成例を示した図である。図１に示すように、施解錠システムは、電気錠装置１と、操作盤２と、制御装置３と、カメラ４と、サーバ５，６と、認証端末７と、を有している。なお、図１には、建物Ａ１と、建物Ａ１の住人Ａ２と、認証端末７のディスプレイに表示される画面Ａ３と、が示してある。
【００１７】
建物Ａ１は、例えば、戸建ての家またはマンション等の集合住宅である。電気錠装置１は、例えば、戸建てである建物Ａ１の玄関扉、または、集合住宅である建物Ａ１の各戸の玄関扉やその近傍の壁面に設けられている。建物Ａ１の玄関扉は、電気錠装置１に取付けられたハンドルが操作（例えば、回転）されることにより、開閉される。
【００１８】
電気錠装置１は、ボタン１ａと、電気錠（図示せず）と、を備えている。ボタン１ａは、玄関扉やその近傍の壁面の屋外側に設けられている。すなわち、ボタン１ａは、建物Ａ１の外から操作される。例えば、ボタン１ａは、外出から、建物Ａ１に帰ってきた住人Ａ２によって操作される。住人Ａ２は、例えば、子供である。ボタン１ａは押動されると機械的に接点を出力する押しボタンスイッチである。なお、ボタン１ａは、その表面に指で触れることで生じる静電容量の変化を検出する静電容量式スイッチなどでも良い。
【００１９】
電気錠装置１は、例えば、建物Ａ１の玄関扉を施解錠するための鍵穴（図示せず）を備えたシリンダーを屋外側に有している。電気錠装置１は、鍵穴に鍵が挿入され、シリンダーが回転されると、建物Ａ１の玄関扉を施解錠する。また、玄関扉の屋内側には、摘みを備えたサムターンを有し、摘みが摘まれてサムターンが回転されると、建物Ａ１の玄関扉を施解錠する。なお、電気錠装置１は、住人が所持するリモコンや電子キー、スマートフォン等の認証媒体（携帯器）に記憶された識別情報を認証した場合に、建物Ａ１の玄関扉を施解錠するキーレス電気錠装置であってもよい。電気錠装置１は、例えば、携帯器から識別情報を読取るリーダーや読取器（図示ぜず）を玄関扉又は扉の近傍の室内外に備えており、電気錠装置１のボタン１ａが押下されると、リーダーから扉の近傍の所定の領域に向けて応答要求信号が送信される。所定領域内に携帯器が存在すれば、携帯器が応答要求信号に応答して、携帯器の識別情報を含む応答信号をリーダーへ送信する。電気錠装置１は、リーダーが受信した応答信号から読取った識別情報が正当だと認証すると、建物Ａ１の玄関扉を施解錠する。なお、電気錠装置１のリーダーから送信される応答要求信号は扉の近傍の所定領域に常時または所定周期毎に送信されるようにしてもよい。この場合、電気錠装置１は、リーダーが受信した識別情報が正当だと認証しても直ちに施解錠せず、ボタン１ａが押下されたことを契機に、建物Ａ１の玄関扉を施解錠する。
【００２０】
操作盤２は、電気錠装置１の電気錠の施錠および解錠を操作する装置である。操作盤２は、例えば、建物Ａ１の室内に配置されている。操作盤２は、建物Ａ１内の住人によって操作される。建物Ａ１内に居る住人は、例えば、玄関扉に行って、電気錠装置１を操作しなくても、操作盤２を操作することにより、電気錠装置１の施錠および解錠ができる。電気錠装置１と操作盤２は、例えば、有線によって接続され、互いに通信する。
【００２１】
制御装置３は、電気錠装置１および操作盤２を制御する。制御装置３と操作盤２とは、例えば、ＤＥＣＴ（登録商標：Digital Enhanced Cordless Telecommunications）等の無線通信によって互いに通信する。また、制御装置３は、カメラ４を制御する。制御装置３とカメラ４とは、例えば、ＤＥＣＴ等の無線通信によって互いに通信する。
【００２２】
制御装置３は、例えば、ルータ（図示せず）を介して、サーバ５と通信を行う。制御装置３は、例えば、Ｗｉ−Ｆｉ等の無線通信によってルータと通信を行う。ルータは、例えば、インターネット等のネットワーク（図示せず）に接続されている。
【００２３】
カメラ４は、例えば、建物Ａ１の玄関扉周辺の壁等に設置される。カメラ４は、例えば、動画を撮影し、Ｈ．２６４に基づく画像データ（画像ファイル）を制御装置３に送信する。
【００２４】
カメラ４は、建物Ａ１の玄関前を撮影するように、撮影方向および画角等が調整されている。言い換えれば、カメラ４は、建物Ａ１の玄関扉に設けられた電気錠装置１を操作する人（顔を含む）を撮影するように、撮影方向および画角等が調整されている。
【００２５】
サーバ５は、インターネット等のネットワークに接続されている。サーバ５は、電気錠装置１のボタン１ａが押下されたことを示す情報（以下、ボタン押下情報と呼ぶことがある）を、操作盤２および制御装置３を介して受信する。サーバ５は、ボタン押下情報を受信すると、サーバ６に対し、認証端末７へのプッシュ通知を指示（要求）する。
【００２６】
サーバ５には、制御装置３を介して、カメラ４が撮影した画像の画像データが送信される。サーバ５は、カメラ４が撮影した画像データを記憶（保存）する。サーバ５に記憶された画像データは、認証端末７によって取出される（読み出される）。
【００２７】
サーバ６は、インターネット等のネットワークに接続されている。サーバ６は、例えば、プッシュサーバである。サーバ６は、サーバ５からのプッシュ通知の指示に応じて、認証端末７に対し、プッシュ通知を行う。
【００２８】
認証端末７は、例えば、スマートフォンまたはタブレット端末等の携帯端末や据え置き型の管理ＰＣ（パーソナルコンピュータ）である。認証端末７は、例えば、携帯電話ネットワークおよびインターネット等のネットワークを介して、サーバ５，６と通信を行う。
【００２９】
認証端末７は、例えば、建物Ａ１の住人によって所持される。例えば、認証端末７は、子供である住人Ａ２の親によって所持される。
【００３０】
認証端末７は、サーバ６から送信されるプッシュ通知を受信する。認証端末７は、プッシュ通知を受信すると、例えば、プッシュ通知を受信したことを示す情報（例えば、アイコン）をディスプレイに表示する。または、認証端末７は、プッシュ通知を受信すると、例えば、プッシュ通知を受信したことを示す音声を発する。
【００３１】
認証端末７の所持者は、サーバ６からのプッシュ通知によって、カメラ４が撮影した画像の画像データが、サーバ５に記憶されたことを認識できる。認証端末７の所持者は、サーバ５にアクセスし、サーバ５に記憶されている画像データを認証端末７にダウンロードできる。
【００３２】
認証端末７は、認証端末７の所持者の操作に応じて、建物Ａ１の玄関扉を施解錠する施解錠指示を、サーバ５、制御装置３、および操作盤２を介して電気錠装置１に送信する。電気錠装置１の電気錠は、施解錠指示に応じて、玄関扉を施解錠する。
【００３３】
以下、図１の施解錠システムの概略動作例を説明する。住人Ａ２は、外出から、建物Ａ１に帰ってきたとする。住人Ａ２は、例えば、子供であり、玄関扉（電気錠装置１の電気錠）を施解錠する鍵を持っていないとする。
【００３４】
認証端末７は、例えば、子供である住人Ａ２の親によって所持される。親は、認証端末７を所持して外出しているとする。建物Ａ１内には、人がおらず、操作盤２からは、玄関扉を施解錠できないとする。図１に示す丸で囲まれた数字は、施解錠システムの動作順（ステップ）を示している。
【００３５】
鍵を持っていない住人Ａ２は、玄関扉を施解錠するため、電気錠装置１のボタン１ａを押下する。電気錠装置１は、ボタン１ａの押下を検知すると、ボタン１ａが押下されたことを示すボタン押下情報を、操作盤２に送信する（ステップＳ１）。
【００３６】
操作盤２は、電気錠装置１からボタン押下情報を受信すると、ボタン押下情報を制御装置３に送信する（ステップＳ２）。
【００３７】
制御装置３は、操作盤２からボタン押下情報を受信すると、カメラ４に対し、撮影の開始を指示する（ステップＳ３ａ）。また、制御装置３は、操作盤２からボタン押下情報を受信すると、サーバ５に対し、ボタン押下情報を送信する（ステップＳ３ｂ）。
【００３８】
カメラ４は、ステップＳ３ａでの撮影開始の指示に応じて、動画の撮影を開始する（ステップＳ４）。すなわち、カメラ４は、電気錠装置１のボタン１ａを操作した住人Ａ２（顔を含む）の動画を撮影する。カメラ４は、例えば、４秒間、電気錠装置１のボタン１ａを操作した住人Ａ２の動画を撮影する。
【００３９】
カメラ４は、撮影した動画の画像データを制御装置３に送信する（ステップＳ５）。
【００４０】
制御装置３は、カメラ４から送信された画像データをサーバ５に送信する（ステップＳ６）。
【００４１】
サーバ５は、ステップＳ３ｂでのボタン押下情報の受信に応じて、サーバ６に対し、認証端末７へのプッシュ通知を指示する（ステップＳ７）。
【００４２】
サーバ６は、サーバ５からのプッシュ通知の指示に応じて、認証端末７へプッシュ通知を送信する（ステップＳ８）。
【００４３】
認証端末７は、サーバ６からのプッシュ通知の受信に応じて、例えば、ディスプレイにプッシュ通知を受信したことを表示し、または、音声を発する（ステップＳ９）。
【００４４】
認証端末７を所持している住人Ａ２の親は、認証端末７のプッシュ通知の受信に応じて、電気錠装置１の電気錠を施解錠するアプリケーション（以下、施解錠アプリケーションと呼ぶことがある）を起動する。例えば、住人Ａ２の親は、プッシュ通知のアイコンをタップする。または、住人Ａ２の親は、認証端末７のディスプレイに表示されている施解錠アプリケーションのアイコンをタップする。認証端末７は、プッシュ通知または施解錠アプリケーションのアイコンのタップに応じて、施解錠アプリケーションを起動する（ステップＳ１０）。
【００４５】
施解錠アプリケーションを起動した認証端末７は、認証端末７の所持者から、サーバ５に記憶されている画像データの取出し指示の操作を受け付け、サーバ５に画像データの取出し指示を送信する（ステップＳ１１）。
【００４６】
サーバ５は、認証端末７からの画像データの取出し指示に応じて、カメラ４が撮影した住人Ａ２の画像データを認証端末７に送信する（ステップＳ１２）。
【００４７】
認証端末７は、サーバ５から送信された画像データを受信し、ディスプレイに表示する（ステップＳ１３）。認証端末７のディスプレイには、例えば、図１の画面Ａ３に示すように、住人Ａ２の動画が表示される。
【００４８】
これにより、認証端末７の所持者（住人Ａ２の親）は、住人Ａ２（子供）が、建物Ａ１の玄関扉の施解錠を要求したことを確認できる。認証端末７の所持者は、動画によって、住人Ａ２の施解錠要求を確認すると、認証端末７に対し、建物Ａ１の玄関扉の施解錠指示を操作する。認証端末７は、認証端末７の所持者から、解錠指示の操作（例えば、タップ操作）を受付ける（ステップＳ１４）。
【００４９】
認証端末７は、施解錠指示の操作を受け付けると、サーバ５に対し、建物Ａ１の玄関扉の施解錠指示を送信する（ステップＳ１５）。
【００５０】
制御装置３は、ポーリングによって、サーバ５に対し、施解錠指示の有無の確認を行う（ステップＳ１６）。制御装置３は、例えば、１０秒おきにポーリングを行う。
【００５１】
サーバ５は、制御装置３からのポーリングに応じて、認証端末７から受信した施解錠指示を制御装置３に送信する（ステップＳ１７）。
【００５２】
制御装置３は、サーバ５から施解錠指示を受信すると、施解錠指示を操作盤２に送信する（ステップＳ１８）。
【００５３】
操作盤２は、制御装置３から施解錠指示を受信すると、施解錠指示を電気錠装置１に送信する（ステップＳ１９）。
【００５４】
電気錠装置１の電気錠は、操作盤２から施解錠指示を受信すると、建物Ａ１の玄関扉を施解錠する（ステップＳ２０）。これにより、住人Ａ２は、建物Ａ１内に出入りすることができる。
【００５５】
このように、図１の施解錠システムは、玄関扉に設けられる電気錠装置１のボタン１ａの操作を契機に、玄関前の住人Ａ２をカメラ４で撮影する。撮影した画像は、認証端末７のディスプレイに表示される。これにより、建物Ａ１の住人である認証端末７の所持者は、電気錠装置１のボタン１ａを操作した住人Ａ２を確認してから、玄関扉を安全に施解錠できる。
【００５６】
なお、図１では、操作盤２と制御装置３とを別々としたが、制御装置３が、操作盤２を備えてもよい。また、サーバ５，６は、１つのサーバで実現されてもよい。例えば、サーバ５は、サーバ６のプッシュ通知の機能を有し、サーバ５が認証端末７に対し、プッシュ通知を行ってもよい。また、図１では、認証端末７は、１台しか示していないが、複数台存在してもよい。
【００５７】
また、カメラ４の動画を撮影する時間は、４秒に限られない。カメラ４の動画を撮影する時間は、操作盤２において調整されてもよい。また、カメラ４は、動画を撮影するとしたが、静止画を撮影してもよい。例えば、カメラ４は、１枚の静止画または２枚以上の静止画を撮影し、制御装置３に送信してもよい。
【００５８】
また、制御装置３のステップＳ３ｂの処理とステップＳ６の処理は、順番が入れ替わってもよい。例えば、制御装置３は、カメラ４から受信した画像データをサーバ５に送信してから、ボタン押下情報をサーバ５に送信してもよい。
【００５９】
また、制御装置３は、電気錠装置１のボタン１ａの押下があった場合に、カメラ４の撮影を開始し、鍵や携帯器を用いて玄関扉を施解錠する操作があった場合にはカメラ４の撮影を開始しない。
【００６０】
図２は、電気錠装置１のブロック構成例を示した図である。図２に示すように、電気錠装置１は、制御部１１と、記憶部１２と、通信部１３と、電気錠１４と、ボタン１ａと、を有している。
【００６１】
制御部１１は、電気錠装置１全体を制御する。制御部１１は、例えば、ＣＰＵ（Central Processing Unit）で構成されてもよい。
【００６２】
記憶部１２には、制御部１１が動作するためのプログラムが記憶される。また、記憶部１２には、制御部１１が計算処理を行うためのデータ、または、制御部１１が各部を制御するためのデータ等が記憶される。記憶部１２は、ＲＡＭ（Random Access Memory）、ＲＯＭ（Read Only Memory）、フラッシュメモリ、およびＨＤＤ（Hard Disk Drive）などの記憶装置によって構成されてもよい。
【００６３】
通信部１３は、操作盤２と通信を行う。通信部１３は、例えば、有線によって操作盤２と接続されている。通信部１３は、操作盤２を介して、制御装置３と通信することができる。
【００６４】
電気錠１４は、制御部１１の制御に基づいて、建物Ａ１の玄関扉を解錠および施錠する。
【００６５】
ボタン１ａは、電気錠装置１の屋外側に設けられている。ボタン１ａは、押下されると、押下されたことを示す信号を、制御部１１に出力する。
【００６６】
図３は、制御装置３のブロック構成例を示した図である。図３に示すように、制御装置３は、制御部２１と、記憶部２２と、通信部２３〜２５と、を有している。
【００６７】
制御部２１は、制御装置３全体を制御する。制御部２１は、例えば、ＣＰＵで構成されてもよい。
【００６８】
記憶部２２には、制御部２１が動作するためのプログラムが記憶される。また、記憶部２２には、制御部２１が計算処理を行うためのデータ、または、制御部２１が各部を制御するためのデータ等が記憶される。記憶部２２は、ＲＡＭ、ＲＯＭ、フラッシュメモリ、およびＨＤＤなどの記憶装置によって構成されてもよい。
【００６９】
通信部２３は、操作盤２と通信を行う。通信部２３は、例えば、ＤＥＣＴ等の無線通信によって操作盤２と通信を行う。
【００７０】
通信部２４は、カメラ４と通信を行う。通信部２４は、例えば、ＤＥＣＴ等の無線通信によってカメラ４と通信を行う。
【００７１】
通信部２５は、ルータ８と通信を行う。通信部２５は、例えば、Ｗｉ−Ｆｉ（登録商標）等の無線通信によってルータ８と通信を行う。なお、ルータ８は、インターネット等のネットワークに接続されている。通信部２５は、ルータ８を介して、サーバ５と通信することができる。
【００７２】
図４は、サーバ５のブロック構成例を示した図である。図４に示すように、サーバ５は、制御部３１と、記憶部３２と、通信部３３と、を有している。
【００７３】
制御部３１は、サーバ５全体を制御する。制御部３１は、例えば、ＣＰＵで構成されてもよい。
【００７４】
記憶部３２には、制御部３１が動作するためのプログラムが記憶される。また、記憶部３２には、制御部３１が計算処理を行うためのデータ、または、制御部３１が各部を制御するためのデータ等が記憶される。記憶部３２は、ＲＡＭ、ＲＯＭ、フラッシュメモリ、およびＨＤＤなどの記憶装置によって構成されてもよい。
【００７５】
通信部３３は、インターネット等のネットワークに接続されている。通信部３３は、ネットワークを介して、制御装置３、サーバ６、および認証端末７と通信することができる。
【００７６】
なお、サーバ６も図４と同様のブロック構成を有し、その説明を省略する。
【００７７】
図５は、認証端末７のブロック構成例を示した図である。図５に示すように、認証端末７は、制御部４１と、記憶部４２と、音声処理部４３と、ディスプレイ４４と、操作部４５と、通信部４６と、を有している。
【００７８】
制御部４１は、認証端末７全体を制御する。制御部４１は、例えば、ＣＰＵで構成されてもよい。
【００７９】
記憶部４２には、制御部４１が動作するためのプログラムが記憶される。また、記憶部４２には、制御部４１が計算処理を行うためのデータ、または、制御部４１が各部を制御するためのデータ等が記憶される。記憶部４２は、ＲＡＭ、ＲＯＭ、フラッシュメモリ、およびＨＤＤなどの記憶装置によって構成されてもよい。
【００８０】
音声処理部４３は、認証端末７に内蔵されているマイクロフォン（図示せず）から出力されるアナログ音声データを、例えば、デジタル音声データに変換し、制御部４１に出力する。また、音声処理部４３は、制御部４１から出力されるデジタル音声データを、例えば、アナログ音声データに変換し、認証端末７に内蔵されているスピーカ（図示せず）に出力する。
【００８１】
ディスプレイ４４は、制御部４１から出力されるデジタル映像データに基づいて映像を表示する。ディスプレイ４４は、例えば、液晶ディスプレイである。
【００８２】
操作部４５は、例えば、認証端末７の所持者の操作を受け付ける。操作部４５は、受け付けた操作に対応する情報を制御部４１に出力する。操作部４５は、例えば、ディスプレイ４４に重畳されるタッチパネルである。操作部４５は、プッシュボタンであってもよい。
【００８３】
通信部４６は、例えば、携帯電話ネットワークおよびインターネット等を含むネットワークを介して、サーバ５，６と通信を行う。
【００８４】
図６は、電気錠装置１の制御部１１のブロック構成例を示した図である。図６に示すように、電気錠装置１の制御部１１は、押下情報送信部５１と、施解錠指示受信部５２と、を有している。
【００８５】
ボタン１ａは、押下されると、押下されたことを示す信号を、制御部１１に出力する。制御部１１の押下情報送信部５１は、ボタン１ａから出力された信号を受信すると、通信部１３を介して、ボタン押下情報を操作盤２に送信する。なお、操作盤２に送信されたボタン押下情報は、制御装置３に送信される。
【００８６】
施解錠指示受信部５２は、認証端末７から送信される施解錠指示を、サーバ５、制御装置３、および操作盤２を介して受信する。施解錠指示受信部５２は、施解錠指示を受信すると、建物Ａ１の玄関扉を施解錠するように、電気錠１４を制御する。
【００８７】
施解錠指示受信部５２は、認証端末７から施解錠指示を受信すると、一定時間、建物Ａ１の玄関扉を施解錠するように、電気錠１４を制御してもよい。例えば、施解錠指示受信部５２は、認証端末７から施解錠指示を受信すると、１０秒間、建物Ａ１の玄関扉を施解錠し、その後、玄関扉を施錠するように、電気錠１４を制御してもよい。また、施解錠指示受信部５２は、施解錠指示に応じて施解錠した玄関扉が開けられて閉められると、建物Ａ１の玄関扉を施錠するように、電気錠１４を制御してもよい。
【００８８】
図７は、制御装置３の制御部２１のブロック構成例を示した図である。図７に示すように、制御装置３の制御部２１は、押下情報受信部６１と、撮影指示部６２と、押下通知部６３と、画像受信部６４と、画像送信部６５と、指示受信部６６と、施解錠指示部６７と、端末指示受信部６８と、端末撮影指示部６９と、を有している。
【００８９】
押下情報受信部６１は、電気錠装置１から送信されるボタン押下情報を、通信部２３を介して受信する。
【００９０】
撮影指示部６２は、押下情報受信部６１がボタン押下情報を受信すると、通信部２４を介して、カメラ４に対し、撮影の開始を指示する。なお、カメラ４は、撮影指示部６２から、撮影開始の指示を受信すると、例えば、４秒間、建物Ａ１の玄関前の動画を撮影する（電気錠装置１を操作した人の動画を撮影する）。カメラ４は、撮影した動画の動画データを制御装置３に送信する。
【００９１】
押下通知部６３は、押下情報受信部６１がボタン押下情報を受信すると、通信部２５を介して、サーバ５に対し、ボタン押下情報を送信する。なお、ボタン押下情報を受信したサーバ５は、サーバ６に認証端末７へのプッシュ通知を指示する。サーバ６は、サーバ５からのプッシュ通知の指示に応じて、認証端末７にプッシュ通知を行う。これにより、認証端末７の所持者は、電気錠装置１のボタン１ａが押下されたことを認識できる。
【００９２】
画像受信部６４は、カメラ４から送信される画像データを、通信部２４を介して受信する。
【００９３】
画像送信部６５は、画像受信部６４が受信した画像データを、通信部２５を介して、サーバ５に送信する。なお、サーバ５は、画像送信部６５から送信された画像データを、記憶部３２に記憶する。記憶部３２に記憶された画像データは、プッシュ通知を受信した認証端末７によって取出（ダウンロード）される。
【００９４】
指示受信部６６は、通信部２５を介して、認証端末７から、建物Ａ１の玄関扉の施解錠指示を受信する。
【００９５】
施解錠指示部６７は、指示受信部６６が認証端末７から施解錠指示を受信すると、通信部２３を介して、施解錠指示を操作盤２に送信する。なお、操作盤２に送信された施解錠指示は、電気錠装置１に送信され、電気錠装置１の施解錠指示受信部５２によって受信される。施解錠指示を受信した施解錠指示受信部５２は、電気錠１４を制御し、建物Ａ１の玄関扉を施解錠する。
【００９６】
端末指示受信部６８は、認証端末７から送信されるカメラ４の撮影開始指示を受信する。
【００９７】
端末撮影指示部６９は、端末指示受信部６８が撮影開始指示を受信すると、カメラ４に撮影開始指示を送信する。なお、撮影開始指示を受信したカメラ４は、建物Ａ１の玄関前を、例えば、４秒間、撮影する。カメラ４は、撮影した動画の画像データを制御装置３に送信する。
【００９８】
図８は、サーバ５の制御部３１のブロック構成例を示した図である。図８に示すように、サーバ５の制御部３１は、画像受信部７１と、画像送信部７２と、通知処理部７３と、施解錠処理部７４と、を有している。
【００９９】
画像受信部７１は、通信部３３を介して、制御装置３から送信される画像データを受信する。画像受信部７１は、受信した画像データを記憶部３２に記憶する。
【０１００】
画像送信部７２は、プッシュ通知を受信した認証端末７から、通信部３３を介して画像データの取出し指示を受信すると、記憶部３２に記憶したカメラ４が撮影した動画の画像データを取得する。画像送信部７２は、取得した画像データを、通信部３３を介して、認証端末７に送信する。
【０１０１】
通知処理部７３は、制御装置３から送信されるボタン押下情報を、通信部３３を介して受信する。通知処理部７３は、ボタン押下情報を受信すると、通信部３３を介して、サーバ６に対し、認証端末７へのプッシュ通知を指示する。なお、サーバ６は、サーバ５からのプッシュ通知の指示に応じて、認証端末７へプッシュ通知を送信する
【０１０２】
施解錠処理部７４は、認証端末７から送信される施解錠指示を、通信部３３を介して受信する。施解錠処理部７４は、施解錠指示を受信すると、通信部３３を介して、制御装置３に対し、施解錠指示を送信する。なお、制御装置３に送信された施解錠指示は、制御装置３の指示受信部６６によって受信される。
【０１０３】
図９は、認証端末７の制御部４１のブロック構成例を示した図である。図９に示すように、認証端末７の制御部４１は、画像受信部８１と、画像表示部８２と、施解錠指示受付部８３と、施解錠指示送信部８４と、撮影指示送信部８５と、を有している。
【０１０４】
画像受信部８１は、操作部４５が、サーバ５に記憶されている画像データの取出し操作を受け付けると、通信部４６を介してサーバ５に対し、画像データの取出し指示を行う。なお、サーバ５の画像送信部７２は、画像受信部８１からの画像データの取出し指示に応じて、カメラ４が撮影した画像データを、認証端末７に送信する。画像受信部８１は、サーバ５から送信される画像データを、通信部４６を介して受信する。
【０１０５】
画像表示部８２は、画像受信部８１によって受信された画像データの動画像を、ディスプレイ４４に表示（再生）する。
【０１０６】
施解錠指示受付部８３は、操作部４５を介して、認証端末７の所持者から、建物Ａ１の玄関扉の施解錠指示を受け付ける。
【０１０７】
施解錠指示送信部８４は、施解錠指示受付部８３が受け付けた施解錠指示を、通信部４６を介してサーバ５に送信する。なお、サーバ５に送信された施解錠指示は、制御装置３および操作盤２を介して電気錠装置１に送信される。
【０１０８】
撮影指示送信部８５は、操作部４５が、カメラ４の撮影開始を指示する操作を受付けると、通信部４６を介してサーバ５に対し、撮影開始指示を送信する。なお、サーバ５に送信された撮影開始指示は、制御装置３を介してカメラ４に送信される。
【０１０９】
図１０は、施解錠システムの動作例を示すシーケンス図である。電気錠装置１は、ボタン１ａが押下されたことを検知する（ステップＳ３１）。
【０１１０】
電気錠装置１は、ボタン１ａが押下されたことを検知すると、ボタン１ａが押下されたことを示すボタン押下情報を、制御装置３に送信する（ステップＳ３２）。
【０１１１】
制御装置３は、電気錠装置１からボタン押下情報を受信すると、サーバ５にボタン押下情報を送信する（ステップＳ３３）。
【０１１２】
制御装置３は、電気錠装置１からボタン押下情報を受信すると、カメラ４に対し、動画の撮影の開始を指示する（ステップＳ３４）。
【０１１３】
カメラ４は、制御装置３からの撮影開始の指示に応じて、動画の撮影を開始する（ステップＳ３５）。なお、カメラ４は、建物Ａ１の玄関前を撮影するように、撮影方向および画角等が調整されており、電気錠装置１のボタン１ａを操作した人を撮影する。また、カメラ４は、設定された時間、動画を撮影する。例えば、カメラ４は、４秒間、動画を撮影する。
【０１１４】
カメラ４は、撮影した動画の画像データを制御装置３に送信する（ステップＳ３６）。
【０１１５】
制御装置３は、カメラ４から送信された画像データをサーバ５に送信する（ステップＳ３７）。
【０１１６】
サーバ５は、制御装置３から送信された画像データを記憶部３２に記憶する（ステップＳ３８）。
【０１１７】
サーバ５は、ステップＳ３３において、制御装置３から送信されたボタン押下情報の受信に応じて、サーバ６に対し、認証端末７へのプッシュ通知を指示する。サーバ６は、サーバ５からのプッシュ通知の指示に応じて、認証端末７にプッシュ通知を行う（ステップＳ３９）。
【０１１８】
認証端末７は、サーバ６からのプッシュ通知の受信に応じて、ディスプレイ４４に、施解錠システムからプッシュ通知があったことを表示する（ステップＳ４０）。認証端末７は、プッシュ通知のディスプレイ４４の表示とともに、プッシュ通知を受信したことを示す音声を出力してもよい。
【０１１９】
ここで、認証端末７の所持者は、サーバ６からのプッシュ通知によって、電気錠装置１のボタン１ａが操作されたことを認識でき、また、建物Ａ１の玄関前の動画の画像データがサーバ５に記憶されたことを認識できる。認証端末７の所持者は、ボタン１ａを操作した人の動画を見るため、例えば、認証端末７のディスプレイに表示されているプッシュ通知のアイコンまたは施解錠アプリケーションのアイコンをタップして、施解錠アプリケーションを起動する。
【０１２０】
認証端末７（起動された施解錠アプリケーション）は、認証端末７の所持者から、画像再生指示の操作を受付ける（ステップＳ４１）。
【０１２１】
認証端末７は、認証端末７の所持者の画像再生指示の操作に応じて、サーバ５に対し、カメラ４が撮影した画像データの画像取り出しを指示する（ステップＳ４２）。
【０１２２】
サーバ５は、認証端末７からの画像取り出し指示に応じて、記憶部３２から、カメラ４が撮影した動画の画像データを取り出し、認証端末７に送信する（ステップＳ４３）。
【０１２３】
認証端末７は、サーバ５から受信した画像データの動画を再生する（ステップＳ４４）。
【０１２４】
ここで、認証端末７の所持者は、カメラ４が撮影した動画に基づいて、電気錠装置１のボタン１ａを操作した人を確認できる。認証端末７の所持者は、動画再生により確認した人が、例えば、子供である住人Ａ２であれば、認証端末７に対し、建物Ａ１の玄関扉の施解錠操作を行う。
【０１２５】
認証端末７は、認証端末７の所持者から、建物Ａ１の玄関扉の施解錠操作を受付ける（ステップＳ４５）。
【０１２６】
認証端末７は、認証端末７の所持者から、建物Ａ１の玄関扉の施解錠操作を受付けると、サーバ５に対し、建物Ａ１の玄関扉を施解錠する施解錠指示を送信する（ステップＳ４６）。
【０１２７】
サーバ５は、認証端末７から施解錠指示を受信すると、制御装置３に施解錠指示を送信する（ステップＳ４７）。
【０１２８】
制御装置３は、サーバ５から施解錠指示を受信すると、電気錠装置１に施解錠指示を送信する（ステップＳ４８）。
【０１２９】
電気錠装置１の電気錠１４は、制御装置３から施解錠指示を受信すると、建物Ａ１の玄関扉を施解錠する（ステップＳ４９）。
【０１３０】
図１１は、認証端末７の画面例を示した図である。図１１には、認証端末７のディスプレイ４４に表示される画面９１ａ〜９１ｃが示してある。
【０１３１】
電気錠装置１のボタン１ａが押下されると、認証端末７には、プッシュ通知が通知される。認証端末７の所持者は、プッシュ通知に応じて、施解錠アプリケーションを起動する。
【０１３２】
図１１の画面９１ａは、施解錠アプリケーションを起動したときの画面を示している。画面９１ａには、案内９１ａａと、ボタン９１ａｂと、が表示される。
【０１３３】
案内９１ａａには、建物Ａ１の玄関扉を施解錠するための施解錠方法が記載されている。案内９１ａａには、ボタン９１ａｂをタップして、カメラ４の動画を取得（再生）すると、建物Ａ１の玄関扉が施解錠できることが記載されている。言い換えれば、認証端末７の所持者は、カメラ４の動画を再生し、電気錠装置１のボタン１ａを押下した人を確認することによって、建物Ａ１の玄関扉の施解錠が可能となる。
【０１３４】
ボタン９１ａｂは、サーバ５にアクセスして、カメラ４の動画を取得し、再生するボタンである。認証端末７は、ボタン９１ａｂがタップされると、サーバ５にアクセスして、カメラ４の動画を取得する。
【０１３５】
図１１の画面９１ｂは、カメラ４の動画の取得後の画面を示している。画面９１ｂには、動画像９１ｂａと、ボタン９１ｂｂ，９１ｂｃ，９１ｂｅと、鍵画像９１ｂｄと、が表示されている。
【０１３６】
動画像９１ｂａは、サーバ５から取得したカメラ４の動画像である。認証端末７は、カメラ４の画像データの取得が完了すると、自動的に動画像９１ｂａをディスプレイ４４に表示（再生）する。
【０１３７】
ボタン９１ｂｂは、建物Ａ１の玄関扉を解錠するボタンである。認証端末７は、ボタン９１ｂｂが右方向にスライドされると、解錠指示をサーバ５に送信する。すなわち、認証端末７の所持者は、ボタン９１ｂｂを操作して、建物Ａ１の玄関扉を解錠できる。
【０１３８】
ボタン９１ｂｃは、動画像９１ｂａを一時停止するボタンである。認証端末７は、ボタン９１ｂｃがタップされると、動画像９１ｂａの再生を一時停止する。
【０１３９】
鍵画像９１ｂｄは、建物Ａ１の玄関扉の施錠状態を示す。画面９１ｂにおける鍵画像９１ｂｄは、建物Ａ１の玄関扉が施錠されていることを示している。なお、ボタン９１ｂｂが右方向にスライドされ、建物Ａ１の玄関扉が解錠されると、鍵画像９１ｂｄは、建物Ａ１の玄関扉が解錠されたことを示す画像となる。
【０１４０】
ボタン９１ｂｅは、カメラ４の録画（撮影）を開始するボタンである。ボタン９１ｂｅによるカメラ４の録画については、図１２で説明する。
【０１４１】
図１１の画面９１ｃは、カメラ４の動画の再生が終了したときの画面を示している。画面９１ｃには、画像９１ｃａと、ボタン９１ｃｂ，９１ｃｃ，９１ｃｄと、が表示されている。
【０１４２】
画像９１ｃａは、動画の再生が終了したときの画像を示している。画像９１ｃａは、例えば、カメラ４の動画の最初のコマであってもよいし、カメラ４の動画の最後のコマであってもよい。
【０１４３】
ボタン９１ｃｂは、建物Ａ１の玄関扉を解錠するボタンである。認証端末７は、ボタン９１ｃｂが右方向にスライドされると、解錠指示をサーバ５に送信する。すなわち、認証端末７の所持者は、ボタン９１ｃｂを操作して、建物Ａ１の玄関扉を解錠できる。
【０１４４】
ボタン９１ｃｃは、カメラ４の動画を再生するボタンである。認証端末７の所持者は、ボタン９１ｃｃをタップすることにより、再生が終了したカメラ４の動画を再び見ることができる。
【０１４５】
ボタン９１ｃｄは、カメラ４の録画（撮影）を開始するボタンである。ここで、認証端末７からカメラ４への撮影開始指示における解錠システムの動作について説明する。
【０１４６】
図１２は、録画のボタン９１ｃｄがタップされた場合の施解錠システムの動作例を示すシーケンス図である。以下では、ボタン９１ｃｄがタップされた場合の動作について説明するが、解錠システムは、図１１の画面９１ｂのボタン９１ｂｅがタップされた場合も同様に動作する。
【０１４７】
認証端末７は、ボタン９１ｃｄのタップ（撮影開始指示の操作）を受付ける（ステップＳ６１）。
【０１４８】
認証端末７は、ボタン９１ｃｄのタップを受付けると、サーバ５に撮影開始指示を送信する（ステップＳ６２）。
【０１４９】
サーバ５は、認証端末７から撮影開始指示を受信すると、撮影開始指示を制御装置３に送信する（ステップＳ６３）。
【０１５０】
制御装置３は、サーバ５から撮影開始指示を受信すると、撮影開始指示をカメラ４に送信する（ステップＳ６４）。
【０１５１】
カメラ４は、制御装置３からの撮影開始指示に応じて、動画の撮影を開始する（ステップＳ６５）。なお、カメラ４は、建物Ａ１の玄関前を撮影するように、撮影方向および画角等が調整されており、電気錠装置１のボタン１ａを操作した人を撮影する。また、カメラ４は、設定された時間、動画を撮影する。例えば、カメラ４は、４秒間、動画を撮影する。
【０１５２】
カメラ４は、撮影した動画の画像データを制御装置３に送信する（ステップＳ６６）。
【０１５３】
制御装置３は、カメラ４から送信された画像データをサーバ５に送信する（ステップＳ６７）。
【０１５４】
サーバ５は、制御装置３から送信された画像データを記憶部３２に記憶する（ステップＳ６８）。
【０１５５】
サーバ５は、制御装置３から送信された画像データを認証端末７に送信する（ステップＳ６９）。なお、ボタン９１ｃｄによるカメラ４の撮影は、電気錠装置１のボタン１ａの押下によるカメラの撮影と異なり、プッシュ通知はされない。また、サーバ５は、図１０のステップＳ４３と異なり、認証端末７からの画像取り出し指示なしに、制御装置３から送信された画像データを認証端末７に送信する。
【０１５６】
認証端末７は、サーバ５から受信したカメラ４の画像データをディスプレイ４４に表示（再生）する（ステップＳ７０）。
【０１５７】
このように、認証端末７は、ボタン９１ｃｄがタップされると、カメラ４に対し、撮影開始指示を送信する。これにより、認証端末７の所持者は、例えば、カメラ４が撮影した動画に、電気錠装置１のボタン１ａを操作した人の顔が適切に映っていない場合、ボタン９１ｃｄをタップし、カメラ４で電気錠装置１のボタン１ａを操作した人を撮影できる。
【０１５８】
また、認証端末７の所持者は、認証端末７がプッシュ通知を受信したときに、プッシュ通知の受信に気づかない場合がある。例えば、認証端末７の所持者は、プッシュ通知の受信後、数分〜数十分経過した後に気づく場合がある。この場合、サーバ５に記憶されているカメラ４の動画は、数分〜数十分前の動画である。認証端末７の所持者は、現在の玄関前の様子を見たい（現在の玄関前の動画を得たい）場合、ボタン９１ｃｄをタップしてもよい。
【０１５９】
なお、認証端末７の所持者は、ステップＳ７０による画像再生を見て、建物Ａ１の玄関扉を施解錠してもよい。例えば、認証端末７の所持者は、図１１の画面９１ｃに示すボタン９１ｃｂを右方向にスライドし、建物Ａ１の玄関扉を施解錠してもよい。この場合、認証端末７は、施解錠指示を、サーバ５および制御装置３を介して電気錠装置１に送信する。
【０１６０】
以上説明したように、施解錠システムは、玄関扉に設けられ、電気錠１４および屋外側にボタン１ａを備えた電気錠装置１と、玄関前を撮影するカメラ４と、カメラ４を制御する制御装置３と、を有する。制御装置３は、電気錠装置１から、ボタン１ａが押下されたことを示すボタン押下情報を受信し、ボタン押下情報の受信に応じて、カメラ４に対し撮影の開始を指示し、カメラ４が撮影する画像を受信し、受信した画像を認証端末７に送信し、画像を受信した認証端末７から施解錠指示を受信し、認証端末７からの施解錠指示の受信に応じて、電気錠１４に対し玄関扉を施解錠するよう指示する。認証端末７は、カメラ４が撮影した画像を受信し、受信した画像をディスプレイ４４に表示し、認証端末７の所持者から玄関扉の施解錠指示を受け付け、受け付けた施解錠指示を電気錠１４に送信する。電気錠装置１は、ボタン１ａが押下されると、制御装置３にボタン押下情報を送信し、ボタン押下情報を受信した制御装置３の撮影開始指示に応じて撮影を開始したカメラ４の画像を受信した認証端末７から施解錠指示を受信し、施解錠指示の受信に応じて玄関扉を施解錠する。
【０１６１】
これにより、施解錠システムは、例えば、ドアホン（玄関子機）等の操作を契機としてではなく、玄関扉に設けられる電気錠装置の操作を契機に、認証端末から玄関扉を安全に施解錠できる。例えば、施解錠システムは、電気錠装置１のボタン１ａが押下されると、ボタン１ａを操作した人の画像を認証端末７に送信する。認証端末７の所持者は、認証端末７に送信された画像を確認してから、建物Ａ１の玄関扉を安全に施解錠できる。
【０１６２】
また、住人Ａ２は、例えば、携帯電話で認証端末７に電話をし、認証端末７の所持者に対し、建物Ａ１の玄関扉を施解錠してもらうよう通話しなくて済む。また、電気錠装置１と、電気錠装置１と通信を行う操作盤２とが、既に建物Ａ１に設置されている場合、施解錠システムは、制御装置３とカメラ４とを建物Ａ１に設置することにより容易に実現できる。
【０１６３】
（変形例１）
電気錠装置１は、例えば、ボタン１ａが一定時間を超えて押下された場合（長押しされた場合）、または、ボタン１ａが一定時間内に所定回数押下された場合等に、ボタン押下情報を制御装置３に送信してもよい。すなわち、電気錠装置１は、ボタン１ａにおいて、所定の操作がなされた場合に、ボタン押下情報を制御装置３に送信してもよい。
【０１６４】
（変形例２）
電気錠装置１は、複数のボタンを備えてもよい。電気錠装置１の制御部１１は、複数のボタンにおいて、所定の操作がなされた場合に、ボタン押下情報を制御装置３に送信してもよい。
【０１６５】
（変形例３）
電気錠装置１の制御部１１は、ボタン押下情報を制御装置３に送信すると、例えば、スピーカ等の音声出力装置から音を発し、またはＬＥＤ（Light Emitting Diode）等の発光装置を発光等してもよい。すなわち、電気錠装置１の制御部１１は、ボタン１ａを操作した人に対し、施解錠要求（プッシュ通知）が認証端末７に送信されたことを、音または光等によって通知してもよい。
【０１６６】
（変形例４）
施解錠システムは、電気錠装置１を操作する人を撮影するカメラとして、ドアホン等に設けられているカメラ等を利用してもよい。ドアホン等に設けられているカメラを利用することにより、新たにカメラ４を設置せずに済み、コスト低減を図ることができる。
【０１６７】
（変形例５）
認証端末７は、認証端末７の所持者から受け付ける施解錠指示の受付時刻が、カメラ４が動画を撮影開始した時刻から所定時間内である場合に、施解錠指示を電気錠１４に送信してもよい。例えば、認証端末７は、カメラ４が動画を撮影した時刻から１分以内に、認証端末７の所持者から施解錠指示を受け付けた場合、電気錠１４に施解錠指示を送信してもよい。これにより、認証端末７の所持者は、所定時間内に撮影されたカメラ４の画像に基づいて玄関扉を施解錠することになり、建物Ａ１の玄関扉を安全に施解錠できる。
【０１６８】
（変形例６）
制御装置３は、認証端末７から受信した施解錠指示の受信時刻が、カメラ４が動画を撮影開始した時刻から所定時間内である場合に、施解錠指示を電気錠１４に送信してもよい。これにより、認証端末７の所持者は、所定時間内に撮影されたカメラ４の画像に基づいて玄関扉を施解錠することになり、建物Ａ１の玄関扉を安全に施解錠できる。
【０１６９】
（変形例７）
電気錠装置１は、ハンドルや扉が操作された時に、所定の操作がなされたことを示す信号を制御装置３に送信するようにしても良い。ハンドルや扉近傍にハンドルや扉の操作を検知する検知部を設け、検知部により検知されたときに、所定の操作がなされたことを示す信号を制御装置３に送信してもよい。
【０１７０】
（変形例８）
図１３は、電気錠装置１の制御部１１の異なる実施例を示したブロック図である。図１３に示すように、制御部１１は、押下情報送信部５１と、施解錠指示受信部５２と、撮影指示部６２と、画像受信部６４と、画像送信部６５と、端末指示受信部６８と、端末撮影指示部６９を備えている。
【０１７１】
押下情報送信部５１は、電気錠装置１のボタン１ａが押されると、通信部１３を介して、サーバ５に対し、ボタン押下情報を送信する。
【０１７２】
施解錠指示受信部５２は、通信部１３を介して、認証端末７から、建物Ａ１の玄関扉の施解錠指示を受信する。
【０１７３】
撮影指示部６２、画像受信部６４、画像送信部６５、端末指示受信部６８、端末撮影指示部６９は、制御装置３の制御部２１が有する機能と同様である。
【０１７４】
以上のように構成することで、電気錠装置１と制御装置３とを別々に設ける必要がなくなる。
【０１７５】
（変形例９）
上記では、制御装置３は、電気錠装置１のボタン１ａの押下があった場合に、カメラ４の撮影を開始する構成としたが、カメラ４が撮影する画像データは本施解錠システムが起動している間は常にサーバ５に記憶（保存）するようにしても良い。この場合、ボタン押下情報を受信した認証端末７による画像データの取り出し指示の受信を受け付けたサーバ５は、記憶部３２に記憶されている画像データのうち、所定時間（例えば直前の４秒間）の画像データを切り出し、認証端末７に送信するようにしても良い。なお、サーバ５は、例えば、１時間分の画像データを記憶してもよい。この場合、サーバ５は、古い画像データに、最新の画像データを上書きするように記憶してもよい。
【０１７６】
（変形例１０）
電気錠装置１は、住人が所持する生体情報を認証した場合に、建物Ａ１の玄関扉を施解錠する生体認証型電気錠装置であってもよい。電気錠装置１は、例えば、玄関扉周辺に設置されたカメラ４により、玄関扉に接近した住人の顔を撮影した画像情報を読み取って認証する顔認証装置や、住人の指紋を読み取って認証する指紋認証装置あるいは音声を認識する音声認識装置などの入力装置からの生体情報に基づいて、例えば、電気錠装置１のボタン１ａが押下されることにより建物Ａ１の玄関扉を施解錠するようにしても良い。例えば、電気錠装置１は、予め住人の生体情報を記憶部１２に記憶し、記憶した生体情報と入力装置で読み取った生体情報とを比較し、読み取った生体情報が正当だと認証した場合に、電気錠１４に対して玄関扉の施解錠を指示してもよい。
【０１７７】
（変形例１１）
上記したように、電気錠装置１は、リーダーが受信した識別情報が正当だと認証しても直ちに施解錠せず、ボタン１ａが押下されたことを契機に、建物Ａ１の玄関扉を施解錠してもよい。この場合、押下情報送信部５１は、ボタン１ａが押下されたことによるボタン押下情報を操作盤２に送信しなくてもよい。これにより、電気錠装置１を施解錠できるユーザが電気錠装置１を解錠した場合、カメラ４による撮影および認証端末７への通知が行われなくなり、消費電力や無駄な通信を抑制できる。もちろん、押下情報送信部５１は、ボタン１ａが押下されたことによるボタン押下情報を操作盤２に送信してもよい。これにより、認証端末７の所持者は、電気錠装置１を操作する者を確認できる。また、押下情報送信部５１がボタン押下情報を送信するか否かは、設定により決定されてもよい。
【０１７８】
上記の実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１７９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）、又は、ＬＳＩ内部の回路セルの接続や設定を再構成可能なリコンフィギュラブル・プロセッサを利用してもよい。
【０１８０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０１８１】
本開示は、玄関扉を開閉する電気錠装置１を含む施解錠システムにおいて有用である。
【符号の説明】
【０１８２】
１  電気錠装置
１ａ  ボタン
２  操作盤
３  制御装置
４  カメラ
５，６  サーバ
７  認証端末
１１，２１，３１，４１  制御部
１２，２２，３２，４２  記憶部
１３，２３，２４，２５，３３，４６  通信部
１４  電気錠
４３  音声処理部
４４  ディスプレイ
４５  操作部
５１  押下情報送信部
５２  施解錠指示受信部
６１  押下情報受信部
６２  撮影指示部
６３  押下通知部
６４  画像受信部
６５  画像送信部
６６  指示受信部
６７  施解錠指示部
６８  端末指示受信部
６９  端末撮影指示部
７１  画像受信部
７２  画像送信部
７３  通知処理部
７４  施解錠処理部
８１  画像受信部
８２  画像表示部
８３  施解錠指示受付部
８４  施解錠指示送信部
８５  撮影指示送信部
【図１】
2020051058.tif 000003
【図２】
2020051058.tif 000004
【図３】
2020051058.tif 000005
【図４】
2020051058.tif 000006
【図５】
2020051058.tif 000007
【図６】
2020051058.tif 000008
【図７】
2020051058.tif 000009
【図８】
2020051058.tif 000010
【図９】
2020051058.tif 000011
【図１０】
2020051058.tif 000012
【図１１】
2020051058.tif 000013
【図１２】
2020051058.tif 000014
【図１３】
2020051058.tif 000015